【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
被観察領域を撮像する撮像部と、
前記撮像部により取得された撮像信号から前記被観察領域の観察画像を生成する画像処理部と、
前記生成された観察画像を表示させる表示部と、
分光特性が互いに異なる複数種類の照明光を選択的に切り換えて前記被観察領域へ照射させる光源部と、
前記光源部から照射される照明光の種類を変更する照明モード変更部と、
前記光源部から照明される照明光の光量を光量制御信号により制御する光源制御部と、
を備え、
前記光源制御部は、変更される前の照明モードにおける光量の最大値に対する比率を表す前記光量制御信号の値に、異なる照明モード間で予め定められている光量比率を乗算して、変更された後の照明モードにおける照明光の前記光量制御信号の値を設定する内視鏡システム。
【請求項２】
少なくとも前記照明モード変更部による照明モードの変更を含む観察モードの変更を指示する観察モード変更部を備え、
前記照明モード変更部は、前記観察モード変更部より観察モード変更指示がされると、前記観察モード変更指示と同期して、又は前記観察モード変更指示の後に照明モードを変更する請求項１に記載の内視鏡システム。
【請求項３】
前記照明モード変更部は、前記観察モード変更部より観察モード変更指示がされると、前記観察モード変更指示と同期して照明モードを変更する請求項２に記載の内視鏡システム。
【請求項４】
前記観察モード変更部より観察モード変更指示がされると、前記観察モード変更指示と同期して前記画像処理部における画像処理モードを変更する画像処理モード変更部を備えた請求項２又は３に記載の内視鏡システム。
【請求項５】
前記照明モード変更部は、前記観察モード変更部より観察モード変更指示がされると、前記観察モード変更指示の後に照明モードを変更し、
前記光源制御部は、前記観察モード変更部より観察モード変更指示がされてから一定期間の観察モード変更後の照明モードにおける光量制御信号の値を予め決められた固定値とし、観察モード変更指示がされてから前記一定期間の経過後に、前記固定値を観察モードが変更された後の照明モードにおける光量制御信号の値へ変更する請求項２に記載の内視鏡システム。
【請求項６】
前記光源部の照明モードに対応して、前記画像処理部における画像処理モードを変更する画像処理モード変更部を備え、
前記観察モード変更部は、前記画像処理モード変更部による画像処理モードの変更を含む観察モードの変更を指示する請求項５に記載の内視鏡システム。
【請求項７】
前記光源制御部は、前記固定値を各照明モードにおける光量制御信号の設定範囲の最小値とする請求項５又は６に記載の内視鏡システム。
【請求項８】
前記一定期間として、前記観察モード変更部より観察モード変更指示がされてからの遅延時間が設定される遅延時間設定部を備えた請求項５から７のいずれか１項に記載の内視鏡システム。
【請求項９】
異なる照明モード間の光量比率を記憶する光量比率記憶部を備える請求項１から８のいずれか１項に記載の内視鏡システム。
【請求項１０】
前記光量比率は、変更後の観察モードにおける照明光の光量の標準値を、変更前の観察モードにおける照明光の光量の標準値で除算した値である請求項９に記載の内視鏡システム。
【請求項１１】
前記光源部は、中心波長が４０５ナノメートルプラスマイナス１０ナノメートルの紫色レーザ光を発光させる第１光源と、
中心波長が４４５ナノメートルプラスマイナス１０ナノメートルの青色レーザ光を発光させる第２光源と、
前記青色レーザ光の照射により励起発光する蛍光体と、
を備え、
前記光源制御部は、通常観察モードでは、前記第２光源から発光を行って前記蛍光体から放射された光を照明光とし、特殊光観察モードでは、前記第１光源から発光を行って前記第１光源から出射させた光を照明光とする請求項２から１０のいずれか１項に記載の内視鏡システム。
【手続補正２】
【補正対象書類名】明細書
【補正対象項目名】０００５
【補正方法】変更
【補正の内容】
【０００５】
特殊光観察モードでは、特定の狭い波長帯域に絞った狭帯域光が使用されるために、十分な光量を得られないことがありうる。そうすると、照明光量の不足に起因する観察画像の画質低下（通常観察モードにおける観察画像に対して、特殊光観察モードにおける観察画像が暗くなること）が懸念される。
【手続補正３】
【補正対象書類名】明細書
【補正対象項目名】００２１
【補正方法】変更
【補正の内容】
【００２１】
【図１】本発明の実施形態に係る内視鏡システムの全体構成図
【図２】図１に示す内視鏡システムのブロック図
【図３】紫色レーザ光源からのレーザ光と、青色レーザ光源からのレーザ光及び青色レーザ光が蛍光体により波長変換された後の光の発光スペクトルを示すグラフ
【図４】図２に示す画像処理部の構成例を示すブロック図
【図５】生体組織の粘膜表層の血管を模式的に図示した説明図
【図６】内視鏡システムによる観察画像の概略的な表示例を示す説明図、（ａ）：白色光観察画像、（ｂ）特殊光観察画像
【図７】第１実施形態に係る観察モード切り換えの説明図
【図８】第１実施形態に係る制御部及び光源制御部の構成例を示すブロック図
【図９】第２実施形態に係る観察モード切り換えの説明図
【図１０】第２実施形態に係る制御部及び光源制御部の構成例を示すブロック図
【図１１】第２実施形態に係る観察モード切り換えの効果の説明図
【図１２】光源装置の他の態様の説明図
【図１３】光源装置の他の態様の説明図
【手続補正４】
【補正対象書類名】明細書
【補正対象項目名】００４３
【補正方法】変更
【補正の内容】
【００４３】
図２に示すように、光源装置４１は、発光源として、中心波長４４５ナノメートルの青色レーザ光源５１と、中心波長４０５ナノメートルの紫色レーザ光源５３と、を備えている。青色レーザ光源５１及び紫色レーザ光源５３の半導体発光素子からの光量は、光源制御部５５により個別に制御される。
【手続補正５】
【補正対象書類名】明細書
【補正対象項目名】００５７
【補正方法】変更
【補正の内容】
【００５７】
図３は、紫色レーザ光源５３からの紫色レーザ光と、青色レーザ光源５１からの青色レーザ光、及び青色レーザ光が蛍光体５７により波長変換された後の光の発光スペクトルを示すグラフである。
【手続補正６】
【補正対象書類名】明細書
【補正対象項目名】００７８
【補正方法】変更
【補正の内容】
【００７８】
特殊光観察モードでは、生体組織の中層及び深層の観察に適した赤色（Ｒ）の狭帯域光を使用せずに、表層組織の観察に適した青色（Ｂ）の狭帯域光、及び中層組織及び表層組織の観察に適した緑色（Ｇ）の狭帯域光が使用される。
【手続補正７】
【補正対象書類名】明細書
【補正対象項目名】００９０
【補正方法】変更
【補正の内容】
【００９０】
生体組織に照明光が入射されると、入射光は生体組織内を拡散的に伝搬するが、生体組織の吸収・散乱特性は波長依存性を有しており、短波長ほど散乱特性が強くなる傾向がある。
【手続補正８】
【補正対象書類名】明細書
【補正対象項目名】００９２
【補正方法】変更
【補正の内容】
【００９２】
例えば、照明光が波長４００ナノメートル付近の波長帯域λａでは粘膜表層の毛細血管からの血管情報が得られ、波長５００ナノメートル付近の波長帯域λｂでは、さらに深層の血管を含む血管情報が得られる。
【手続補正９】
【補正対象書類名】明細書
【補正対象項目名】００９７
【補正方法】変更
【補正の内容】
【００９７】
青色レーザ光と紫色レーザ光との混合比率の調整例として、図１に示す内視鏡本体部１１の操作部２３に設けたスイッチを操作して、粘膜表層の毛細血管をより観察しやすいように画像強調する態様が挙げられる。
【手続補正１０】
【補正対象書類名】明細書
【補正対象項目名】０１１７
【補正方法】変更
【補正の内容】
【０１１７】
図８に示すように、制御部６７は、画像処理モード変更制御部１１０を含み、さらに、観察モード変更制御部２００及び照明モード変更制御部２０２が含まれる。
【手続補正１１】
【補正対象書類名】明細書
【補正対象項目名】０１２０
【補正方法】変更
【補正の内容】
【０１２０】
光源制御部５５は、光量変換部２１０と、光量比率記憶部２１２と、光量設定部２１４と、を含んで構成されている。
【手続補正１２】
【補正対象書類名】明細書
【補正対象項目名】０１２６
【補正方法】変更
【補正の内容】
【０１２６】
一方、特殊光観察モードで使用される照明光の光量制御信号の値が７０パーセントの場合に、観察モードの変更後の白色光観察モードで使用される照明光の光量制御信号の値は、７０パーセント未満の値とされる。
【手続補正１３】
【補正対象書類名】明細書
【補正対象項目名】０１６０
【補正方法】変更
【補正の内容】
【０１６０】
図１３に示す内視鏡システム４００によれば、白色光光源から任意の波長帯域に対応した特殊光（狭帯域光）を簡単に生成することができる。
【手続補正１４】
【補正対象書類名】明細書
【補正対象項目名】０１６９
【補正方法】変更
【補正の内容】
【０１６９】
（第２態様）：第１態様に記載の内視鏡システムにおいて、少なくとも照明モード変更部による照明モードの変更を含む観察モードの変更を指示する観察モード変更部を備え、照明モード変更部は、観察モード変更部より観察モード変更指示がされると、観察モード変更指示と同期して、又は観察モード変更指示の後に照明モードを変更する内視鏡システム。
【手続補正１５】
【補正対象書類名】明細書
【補正対象項目名】０１８８
【補正方法】変更
【補正の内容】
【０１８８】
かかる態様によれば、広帯域の波長帯域の照明光と狭帯域の波長帯域の照明光とを切り換え可能に構成することで、それぞれの照明光に対応した観察画像を得ることができる。